(57)【要約】【課題】録画した放送番組のうち、利用者が関心のあるシーンを、より効率的に視聴できるようにする。【解決手段】録画再生装置２０は、録画予約に従って、録画予約情報を映像情報提供サーバ４０に送信するとともに、テレビジョン受像機３０から放送信号を受信し、録画を行う。映像情報提供サーバ４０は、受信した録画予約情報に基づいて、録画を行うとともに、選択字幕信号に基づいてタイムコードを有するダイジェストデータと、代表画像データとを生成し、これらに基づく映像情報データを携帯電話端末５０に送信する。携帯電話端末５０は、利用者による携帯電話端末５０上での代表画像の選択に基づいて、選択された代表画像についてフラグを設定する。そして、このフラグが付加された映像情報データを録画再生装置２０に送信することにより、録画再生装置２０が選択されたシーンを再生する。【選択図】図１
2007174245.tif 000002
【特許請求の範囲】
【請求項１】
放送信号の受信手段と、受信した放送信号に基づく映像データを記録する映像データ記憶手段とを備えた録画再生装置と、
前記録画再生装置と利用者端末との間で通信を行う映像情報提供サーバとから構成された録画再生システムであって、
前記録画再生装置は、受信した放送信号に基づく映像データを前記映像データ記憶手段に記録する場合、前記記録する放送信号に関する放送記録情報を前記映像情報提供サーバに送信する手段を備え、
前記映像情報提供サーバは、前記放送記録情報に基づいて生成された録画通知を、前記利用者端末に送信する手段を備えたことを特徴とする録画再生システム。
【請求項２】
前記録画通知は、前記放送記録情報、又は前記放送記録情報に基づく放送信号の加工情報であることを特徴とする請求項１に記載の録画再生システム。
【請求項３】
前記利用者端末は、
受信した前記録画通知に対して再生要否に関する再生管理情報を記録し、
前記再生管理情報を前記録画再生装置に送信することを特徴とする請求項１又は２に記載の録画再生システム。
【請求項４】
前記録画再生装置が、前記利用者端末から受信した前記再生管理情報に基づいて、前記映像データ記憶手段に記録された映像データにより映像を再生することを特徴とする請求項３に記載の録画再生システム。
【請求項５】
前記録画再生装置が、前記利用者端末から受信した前記再生管理情報に基づいて、前記映像データ記憶手段に記録された映像データを削除することを特徴とする請求項３又は４に記載の録画再生システム。
【請求項６】
前記利用者端末は、
受信した録画予約通知に対して追加録画に関する録画予約情報を記録し、
前記録画予約情報を前記録画再生装置に送信することを特徴とする請求項１〜５のいずれか１つに記載の録画再生システム。
【請求項７】
前記放送信号は字幕信号を含み、前記録画通知は前記字幕信号に基づいて生成したものであることを特徴とする請求項１〜６のいずれか１つに記載の録画再生システム。
【請求項８】
前記録画通知は動画データを含むことを特徴とする請求項１〜７のいずれか１つに記載の録画再生システム。
【請求項９】
放送信号の受信手段と、受信した放送信号に基づく映像データを記録する映像データ記憶手段とを備えた録画再生装置と、
前記録画再生装置と利用者端末との間で通信を行う映像情報提供サーバとを用いて、放送信号の録画及び再生を行う録画再生方法であって、
前記録画再生装置が、受信した放送信号に基づく映像データを前記映像データ記憶手段に記録する場合、前記記録する放送信号に関する放送記録情報を前記映像情報提供サーバに送信し、
前記映像情報提供サーバが、前記放送記録情報に基づいて生成された録画通知を、前記利用者端末に送信することを特徴とする録画再生方法。
【発明の詳細な説明】
【技術分野】
【０００１】
本発明は、録画した放送番組を効率よく視聴するための録画再生システム及び録画再生方法に関する。
【背景技術】
【０００２】
今日、放送やネットワークを介して多様なコンテンツが提供されている。このコンテンツの中には、動画を映し出した映像も含まれる。このような映像のコンテンツを短時間に確認したい場合がある。このような場合、録画して早送りで確認したり、録画装置のダイジェスト機能を利用したりする場合がある。
【０００３】
また、テレビ放送の音声と同期して送信されるクローズドキャプション（字幕放送）を利用する場合もある。このクローズドキャプションは、テレビジョン信号の２１番目の水平走査線に、画面に関する音声等を文字コード化したものを挿入する。クローズドキャプションデータは、専用のデコーダによってテレビジョン信号から分離することができる。
【０００４】
このようなクローズドキャプションデータ等の字幕データを利用して録画データを検索する技術が開示されている（例えば、特許文献１参照。）。この特許文献１に記載の技術では、このような字幕データを用いて、字幕データに基づくテキストデータ、タイムコード及び番組ＩＤに関するデータを含む、録画データを検索するためのメタデータを作成する。ユーザは、字幕データに基づくテキストデータと、タイムコードに対応する録画画像とに基づいてコンテンツの概要を把握し、視聴したいシーンを選択できる。
【特許文献１】特開２００５−１９８２０６号公報（第１８−３４頁）
【発明の開示】
【発明が解決しようとする課題】
【０００５】
しかし、例えば、外出中に録画した番組を帰宅後に再生する場合、帰宅してから視聴したいシーンを探しながら見るのでは、効率的に視聴することができない。また、コンテンツの概要を把握しつつ視聴したいシーンを選択する場合でも、帰宅してからコンテンツの概要を確認し、或いは、予めコンテンツの概要を把握していても帰宅後にそのシーンを別途検索するのでは、やはり、あまり効率的に視聴することができない。
【０００６】
本発明は、上記課題を解決するためになされたものであり、その目的は、録画した放送番組のうち、利用者が関心のあるシーンを、より効率的に視聴できる録画再生システム及び録画再生方法を提供することにある。
【課題を解決するための手段】
【０００７】
上記問題点を解決するために、請求項１に記載の発明は、放送信号の受信手段と、受信した放送信号に基づく音声データ及び映像データを含んで構成される録画データを記録する録画データ記憶手段とを備えた録画再生装置と、前記録画再生装置と利用者端末との間で通信を行う映像情報提供サーバとから構成された録画再生システムであって、前記録画再生装置は、受信した放送信号に基づく録画データを前記録画データ記憶手段に記録する場合、前記記録する放送信号に関する放送記録情報を前記映像情報提供サーバに送信する手段を備え、前記映像情報提供サーバは、前記放送記録情報に基づいて生成された録画通知を、前記利用者端末に送信する手段を備えたことを要旨とする。
【０００８】
請求項２に記載の発明は、請求項１に記載の録画再生システムにおいて、前記録画通知は、前記放送記録情報、又は前記放送記録情報に基づく放送信号の加工情報であることを
要旨とする。
【０００９】
請求項３に記載の発明は、請求項１又は２に記載の録画再生システムにおいて、前記利用者端末は、受信した前記録画通知に対して再生要否に関する再生管理情報を記録し、前記再生管理情報を前記録画再生装置に送信することを要旨とする。
【００１０】
請求項４に記載の発明は、請求項３に記載の録画再生システムにおいて、前記録画再生装置が、前記利用者端末から受信した前記再生管理情報に基づいて、前記録画データ記憶手段に記録された録画データにより映像及び音声を再生することを要旨とする。
【００１１】
請求項５に記載の発明は、請求項３又は４に記載の録画再生システムにおいて、前記録画再生装置が、前記利用者端末から受信した前記再生管理情報に基づいて、前記録画データ記憶手段に記録された録画データを削除することを要旨とする。
【００１２】
請求項６に記載の発明は、請求項１〜５のいずれか１つに記載の録画再生システムにおいて、前記利用者端末は、受信した録画予約通知に対して追加録画に関する録画予約情報を記録し、前記録画予約情報を前記録画再生装置に送信することを要旨とする。
【００１３】
請求項７に記載の発明は、請求項１〜６のいずれか１つに記載の録画再生システムにおいて、前記放送信号は字幕信号を含み、前記録画通知は前記字幕信号に基づいて生成したものであることを要旨とする。
【００１４】
請求項８に記載の発明は、請求項１〜７のいずれか１つに記載の録画再生システムにおいて、前記録画通知は動画データを含むことを要旨とする。
請求項９に記載の発明は、放送信号の受信手段と、受信した放送信号に基づく音声データ及び映像データを含んで構成される録画データを記録する録画データ記憶手段とを備えた録画再生装置と、前記録画再生装置と利用者端末との間で通信を行う映像情報提供サーバとを用いて、放送信号の録画及び再生を行う録画再生方法であって、前記録画再生装置は、受信した放送信号に基づく録画データを前記録画データ記憶手段に記録する場合に、前記記録する放送信号に関する放送記録情報を前記映像情報提供サーバに送信し、前記映像情報提供サーバは、前記放送記録情報に基づいて生成された録画通知を、前記利用者端末に送信することを要旨とする。
【００１５】
（作用）
請求項１又は９に記載の発明によれば、録画再生装置は、受信した放送信号に基づく映像データを映像データ記憶手段に記憶する場合、記憶する放送信号に関する放送記録情報を映像情報提供サーバに送信する。そして、映像情報提供サーバは、この放送記録情報に基づいて生成された録画通知を、利用者端末に送信する。これにより、映像データ記憶手段に記録する放送信号に関する放送記録情報に基づいて生成された録画通知を利用者端末に提供できる。このため、利用者は、利用者端末に提供された録画通知に基づいて、視聴するシーンを選択できる。
【００１６】
請求項２に記載の発明によれば、前記録画通知は、前記放送記録情報、又は前記放送記録情報に基づく放送信号の加工情報である。これにより、利用者は、前記放送記録情報、又は前記放送記録情報に基づく放送信号の加工情報前に基づいて、視聴するシーンを選択できる。
【００１７】
請求項３に記載の発明によれば、利用者端末は、受信した前記録画通知に対して再生要否に関する再生管理情報を記録し、この再生管理情報を録画再生装置に送信する。これにより、前記録画通知に対して記録した再生要否に関する再生管理情報に基づいて、利用者
が視聴したいシーンを効率的に録画再生装置で再生することが可能になる。
【００１８】
請求項４に記載の発明によれば、録画再生装置は、利用者端末から受信した再生管理情報に基づいて、映像データ記憶手段に記録された映像データにより映像及び音声を再生する。これにより、利用者端末から受信した再生管理情報に基づいて、利用者が視聴したいシーンを効率的に録画再生装置で再生することができる。
【００１９】
請求項５に記載の発明によれば、利用者端末から受信した再生管理情報に基づいて映像データ記憶手段に記憶された映像信号を削除する。これにより、利用者端末から受信した再生管理情報に基づいて、利用者が視聴を希望しない不要な映像データを、効率的に映像データから削除できる。
【００２０】
請求項６に記載の発明によれば、利用者端末は、受信した録画予約通知に対して追加録画に関する録画予約情報を記録し、この録画予約情報を録画再生装置に送信する。これにより、利用者が、録画予約通知を確認して、追加予約が必要な場合に、利用者端末を用いて追加の録画予約を行うことができる。
【００２１】
請求項７に記載の発明によれば、前記放送信号は字幕信号を含み、前記録画通知は字幕信号に基づいて生成したものである。これにより、放送信号に含まれる字幕信号に基づいて生成した録画通知を利用者端末に提供できる。なお、この録画通知の生成は、録画再生装置及び映像情報提供サーバのいずれが行ってもよい。
【００２２】
請求項８に記載の発明によれば、前記録画通知は動画データを含む。これにより、利用者は、利用者端末を用いて動画を確認して視聴するシーンを選択できる。
【発明の効果】
【００２３】
本発明によれば、録画した放送番組のうち、利用者が関心のあるシーンを、より効率的に視聴することができる。
【発明を実施するための最良の形態】
【００２４】
（第１の実施形態）
以下、本発明を具体化した第１の一実施形態を、図１〜図６を用いて説明する。本実施形態では、図１に示すように、放送局１０からの放送信号を、テレビジョン受像機３０を用いて受信し、この放送信号に基づく映像データ及び音声データをテレビジョン受像機３０に接続された録画再生装置２０に記録する。この録画再生装置２０は、インターネット６０を介して映像情報提供サーバ４０に接続される。そして、放送信号を録画再生装置２０に記録する場合、映像情報提供サーバ４０が、映像情報として、代表画像とこれに対応するテキストとを表示するデータを生成し、この映像情報を、インターネット６０を介して携帯電話端末５０に送信する。そして、例えば、外出中の利用者が、携帯電話端末５０を用いてこの映像情報を確認して視聴するシーンを選択し、選択したシーンを、帰宅後、テレビジョン受像機３０及び録画再生装置２０を用いて視聴する。
【００２５】
放送局１０は、地上波や衛星波などを用いて番組を放送する施設である。放送される番組の放送信号には、映像データと音声データとが含まれる。この映像データは動画像データであり、音声データは映像データと同期して再生される音声に関するデータである。
【００２６】
また、この放送信号の中には、映像として常に表示される字幕と、選択により表示される字幕とが含まれる。前者には、番組の題名やキャストなどの紹介、海外の作品における日本語字幕等がある。一方、後者のように表示選択の可能な字幕データ（いわゆるクローズドキャプション）には、出演者の会話に対応するテキストデータや、例えばＢＧＭや効
果音など、放送コンテンツに関する説明が含まれている場合もある。このように表示と非表示とを選択可能な字幕データを「表示選択字幕データ」と呼ぶ。
【００２７】
次に、この表示選択字幕データについて説明する。例えばＮＴＳＣ方式のアナログの地上波放送では、映像信号に５２５本の走査線が用いられている。この５２５本のうち、各フィールド（２フィールドで１フレームを構成）の最初の２１本相当は、ＶＢＩ（Vertical Blanking Interval：垂直帰線消去期間）と呼ばれ、走査を開始するためのインターバル用に割り当てられている。クローズドキャプションは、各フィールドのＶＢＩのうち、ＶＢＩの２１本目に７ｂｉｔの文字コードを多重化することによって伝送されるように構成されている。そして、各フィールドを使って２種類の文字セットを約６０文字／秒で伝送することができる。この表示選択字幕データは、再生時に映像データからデコードされて、映像と同時に表示させることができる。
【００２８】
ユーザは、テレビジョン受像機３０を用いて、表示選択字幕データを含む映像データ及び音声データで構成される放送信号を受信する。このテレビジョン受像機３０は、チューナ３１、信号処理部３２、ディスプレイやスピーカからなる出力部３３を備える。表示選択字幕データを表示させない場合には、チューナ３１によって選局された放送信号を信号処理部３２において復調し、出力部３３において、映像信号はディスプレイに出力し、音声信号はスピーカに出力して番組を視聴することができる。
【００２９】
録画再生装置２０としては、例えば、ハードディスクレコーダ装置等を想定する。
この録画再生装置２０は、テレビジョン受像機３０のチューナ３１によって選局された放送信号を取得し、映像信号及び音声信号をデコードするとともに、表示選択字幕データを抽出してデコードし、テレビジョン受像機３０に映像信号及び音声信号を出力する。また、この録画再生装置２０は、取得した放送信号に基づいて、映像データ及び音声データを含む録画データを、映像データ記憶手段としての録画データ記憶部２２に記録する。更に、この録画再生装置２０は、録画データ記憶部２２に記録された録画データに基づいて、映像及び音声をテレビジョン受像機３０に出力して、録画した放送番組を再生する。
【００３０】
この録画再生装置２０は、ＣＰＵ（Central Processing Unit ）からなる制御手段、ＲＯＭ（Read Only Memory）やＲＡＭ（Random Access Memory )、ＨＤＤ（Hard Disk Drive ）等のデータ記憶手段を備える。録画再生装置２０のブロック構成を図２に示す。
【００３１】
テレビジョン受像機３０のチューナ３１により選局された放送信号のうち、表示選択字幕データを含む映像信号、音声信号は、それぞれ所定の入力端子より、映像信号デコーダ２０１、音声信号デコーダ２０２に入力される。すなわち、この所定の入力端子が、特許請求の範囲に記載の放送信号の受信手段として機能する。
【００３２】
映像信号デコーダ２０１は、供給された映像信号をデコードし、デコードされた映像データをメモリ２０３に供給する。メモリ２０３は、供給された映像信号を一時保持するフレームメモリである。音声信号デコーダ２０２は、供給された音声信号をデコードし、デコードされた音声データを出力する。
【００３３】
受信された放送信号をリアルタイムに出力する場合、表示選択字幕データデコーダ２０５は、メモリ２０３から映像データを取得する。そして、表示選択字幕データの表示が指示された場合、表示選択字幕データデコーダ２０５は、取得した映像データに含まれる表示選択字幕データをデコードする映像情報を分離する。そして、対応するテキストデータをＯＳＤ（On Screen Display ）２０６に供給するとともに、映像データを合成処理部２０７に供給する。
【００３４】
ＯＳＤ２０６は、供給されたテキストデータを、表示画面に重畳して表示させるための画像データであるＯＳＤデータに変換して、合成処理部２０７に供給する。合成処理部２０７は、供給された映像データに、供給されたＯＳＤデータを重畳して、出力端子からテレビジョン受像機３０の出力部３３のディスプレイに出力する。また、音声処理部２０８は、音声信号デコーダ２０２によりデコードされた音声データを取得して、テレビジョン受像機３０の出力部３３のスピーカに出力する。
【００３５】
番組ＩＤ抽出部２１０は、メモリ２０３に保持されている映像データから番組管理データに含まれる番組ＩＤを抽出する。
録画管理部２０９は、操作入力部２１４により入力された録画予約情報、又は、テキストデータによる検索に基づいて自動的に録画予約された録画予約情報に基づいて、録画を行う。この録画管理部２０９は、タイマ２１５を参照して、録画が開始された時刻（絶対時刻）を取得し、メモリ２０３から供給される映像データ、又は音声信号デコーダ２０２から供給される音声データのうちの少なくともいずれか一方に、取得した時刻情報を付加する。更に、映像データ及び音声データに対して、番組ＩＤ抽出部２１０から供給された番組ＩＤを付加して、映像情報記憶手段としての録画データ記憶部２２に記録する。ここで付加された時刻情報は、タイムスタンプとして、後述する処理において用いられる。また、録画管理部２０９は、録画予約が行われた場合、通信部２１３を介して録画予約情報を映像情報提供サーバ４０に送信する。なお、この録画予約情報には、ユーザＩＤが付加される。更に、録画管理部２０９は、携帯電話端末５０からフラグが付加された映像情報データを受信するローカルＩＦ部２１６に接続される。このローカルＩＦ部２１６を介して映像情報データを受信した録画管理部２０９は、映像情報データ中に設定されたフラグに関連付けられたタイムコード（開始時刻）に基づいて、録画データ記憶部２２の録画データ中の録画再生の開始位置を検索する。そして、録画管理部２０９は、検索された開始位置から、録画映像及び音声の再生処理を行う。
【００３６】
録画データ記憶部２２には、番組ＩＤ及びタイムスタンプが付加された映像データ及び音声データを記憶する。なお、本実施形態では、この番組ＩＤ及びタイムスタンプが付加された映像データ及び音声データを「録画データ」と呼ぶ。録画データ記憶部２２は、例えば、ハードディスクなどの大容量記録媒体により構成されるが、ＤＶＤ（Digital Versatile Disk）やビデオテープなどのリムーバブルな記録媒体を用いることも可能である。
【００３７】
映像情報提供サーバ４０は、各種ネットワークや電波を介して受信することにより、放送局１０が作成した表示選択字幕データ付きの放送信号を取得する。そして、この放送信号を用いてメタデータを作成し、このメタデータと録画データとを用いて代表画像を作成する。この映像情報提供サーバ４０は、ＣＰＵ（Central Processing Unit ）からなる制御手段、ＲＯＭ（Read Only Memory）やＲＡＭ（Random Access Memory )、ＨＤＤ（Hard
Disk Drive ）等のデータ記憶手段を備える。映像情報提供サーバ４０のブロック構成を図３に示す。
【００３８】
録画予約情報取得部４１０は、録画再生装置２０から送信された録画予約情報を受信し、放送信号取得部４０１及び録画管理部４１１に提供する。なお、録画再生装置２０から送信された録画予約情報には、ユーザＩＤが付加されている。
【００３９】
録画管理部４１１は、録画予約情報取得部４１０から提供された録画予約情報を録画管理部４１１中の記憶部（図示せず）に記録し、この録画予約情報に基づいて録画を行う。この録画管理部４１１は、タイマ４０６を参照して、録画が開始された時刻（絶対時刻）を取得し、デコーダ４０２から供給された映像データ又は音声データのうちの少なくともいずれか一方に、取得した時刻情報を付加する。更に、映像データ及び音声データに対して、番組ＩＤ抽出部４０３から供給された番組ＩＤを付加して、録画データ記憶部４２に
記録する。ここで付加された時刻情報は、タイムスタンプとして、後述する処理において用いられる。なお、録画データはユーザＩＤに関連付けて記録される。
【００４０】
放送信号取得部４０１は、ネットワークや放送電波を介して放送信号を取得してデコーダ４０２に供給する。デコーダ４０２は、放送信号取得部４０１から供給された放送信号をデコードする。すなわち、供給された映像信号、供給された音声信号をそれぞれレコードする。なお、映像信号には、メタデータの作成に必要となる番組ＩＤ情報を含む番組管理情報や表示選択字幕データが含まれている。
【００４１】
番組ＩＤ抽出部４０３は、デコーダ４０２によりデコードされた映像データに含まれる番組管理データから、放送番組を特定することができる番組ＩＤ情報を抽出し、メタデータ生成部４０８に供給する。更に、番組ＩＤ抽出部４０３は、この映像データを表示選択字幕データデコーダ４０４に供給する。
【００４２】
表示選択字幕データデコーダ４０４は、取得した映像データに含まれる表示選択字幕データをデコードして、対応するテキストデータを解析処理部４０５に供給する。
解析処理部４０５は、以下に示す字幕モード処理と無声モード処理とを実行する。
【００４３】
字幕モード処理においては、映像データに表示選択字幕データが含まれているかどうかを検出する。表示選択字幕データを分離できた場合、表示選択字幕の表示タイミングを検出し、表示タイミングに連動して代表画像を決定する。具体的には、表示選択字幕データデコーダ４０４から供給された表示選択字幕データに対応するテキストデータを、適切な長さのテキスト群に分割し、分割されたテキスト群をタイムコード付加処理部４０７に供給する。
【００４４】
一方、表示選択字幕データが含まれておらず、分離できない場合、無声状態と判断する。この場合、解析処理部４０５は、タイマ（図示せず）を始動し、この無声状態の継続時間を計る。そして、無声状態の保持時間が基準時間を超えている場合、無声モードの処理を実行する。
【００４５】
無声モード処理では、解析処理部４０５は各映像データ間の差分を算出する。具体的には、解析処理部４０５は、現在の画像と次の画像（所定時間経過後の画像）との差分を数値として算出する。この差分には、画像を構成する各画素の色信号や強度信号の変化の総計値や、動きベクトルの大きさを用いることも可能である。そして、差分が基準値以上になった場合、差分を算出した画像から表示選択字幕データを分離しているかどうかを判断する。表示選択字幕データを分離している場合には、字幕モード処理に戻る。
【００４６】
一方、差分が基準値以上になっており、この段階においても表示選択字幕データを分離していない場合、解析処理部４０５は、後の画像データを代表画像とする。この場合には、表示選択字幕に対応するテキストがないため、解析処理部４０５は、代表画像の登録指示として「無声」の文字からなるテキストデータをタイムコード付加処理部４０７に供給する。
【００４７】
タイムコード付加処理部４０７は、タイマ４０６を用いて、代表画像の登録指示を受けた時刻をタイムコードとして付加する。例えば、表示選択字幕に対応するテキストの場合には、表示選択字幕の開始時刻に対応するタイムコードが付加される。放送信号取得部４０１が、放送に対してリアルタイムで放送信号を取得した場合、タイムコード付加処理部４０７はタイマ４０６が示す現在時刻に基づいて、タイムコードをテキストデータに付加するものとする。また、番組放送時刻に対してタイムコード付加時刻に遅れがある場合には、タイムコード付加処理部４０７は、この遅延時間とタイマ４０６が示す現在時刻とに
基づいて、番組の放送時刻に対応するタイムコードを算出し、テキストデータに付加する。
【００４８】
メタデータ生成部４０８は、タイムコード付加処理部４０７から供給されたタイムコードが付加されたテキストデータに、番組ＩＤ抽出部４０３から供給された番組ＩＤ情報を付加してメタデータを生成する。このメタデータは、図６にメタデータ７０１として示すように、テキストデータに対して、テキスト群の開始時刻と終了時刻が記載されたタイムコードが付加される。そして、番組ＩＤ抽出部４０３から供給された番組ＩＤ情報が付加される。そして、メタデータ生成部４０８は、このメタデータ（ダイジェストデータ）をダイジェストデータ記憶部４３に記録する。なお、このメタデータは、ユーザＩＤに関連付けて記録される。また、メタデータ生成部４０８は、ユーザＩＤを付加したメタデータを代表画像生成部４０９に供給する。
【００４９】
代表画像生成部４０９は、メタデータ生成部４０８から供給されたメタデータに含まれる開始時刻に対応する画像を録画データ記憶部４２に記録された映像データから抽出し、これを代表画像とする。そして、この代表画像のサムネイルを作成し、代表画像データとする。そして、この代表画像データを番組ＩＤ及び時刻（開始時刻）と関連付けて代表画像データ記憶部４４に記録する。これにより、図６に代表画像７０２として示すように、メタデータの各タイムコードの開始時刻に対応して代表画像データが記録される。なお、この代表画像データは、ユーザＩＤに関連付けて記録される。
【００５０】
表示データ提供部４１２は、携帯電話端末５０からの映像情報の提供要求を受信し、ダイジェストデータ記憶部４３及び代表画像データ記憶部４４からダイジェストデータ及び代表画像データをそれぞれ抽出し、これを編集した映像情報データを携帯電話端末５０に送信する。
【００５１】
携帯電話端末５０は、図４に示すように制御部５１を備えており、この制御部５１は、代表画像選択部５１１及び再生指示部５１２を備えている。
代表画像選択部５１１は、映像情報提供サーバ４０から映像情報データを取得し、この映像情報データに含まれる代表画像を利用者に選択させる。具体的には、利用者が操作入力部５３を操作して映像情報の取得要求を入力した場合、ネットワークＩＦ部５５を介して映像情報提供サーバ４０にアクセスし、映像情報提供サーバ４０から映像情報を受信する。代表画像選択部５１１は、受信した映像情報を映像情報データ記憶部５２に記録するとともに、この映像情報に基づいて代表画像及び各代表画像に対応するテキストを表示部５４に表示する。利用者は、表示部５４に表示された代表画像及びテキストを参照し、後で視聴したいシーンの代表画像を、操作入力部５３の操作入力により選択する。これにより、代表画像選択部５１１は、選択された代表画像についてフラグを記録する。例えば、図６においてフラグ７０３として示すように、「代表画像２」が選択された場合、この「代表画像２」についてフラグを記録する。
【００５２】
再生指示部５１２は、利用者による操作入力部５３の操作入力に従い、フラグが付加された映像情報データを映像情報データ記憶部５２から抽出し、ローカルＩＦ部５６を介して録画再生装置２０に送信する。具体的には、例えば、赤外線通信を用いる。録画再生装置２０は、このフラグが付加された映像情報データを、ローカルＩＦ部２１６を介して受信し、録画管理部２０９に入力する。
【００５３】
以下、このように構成されたシステムを用いて、録画した映像のうち利用者が関心のあるシーンを代表画像により選択し、選択したシーンを視聴する場合の処理手順について図５を用いて説明する。
【００５４】
図５に示すように、まず、録画再生装置２０において録画予約を行う（ステップＳ１−１）。具体的には、操作入力部２１４の操作入力により、録画する番組の指定、又は、時刻及びチャンネルの指定を行う。また、キーワードを用いて、このキーワードに対応する番組に関する情報を取得してもよい。この場合、指定されたキーワードに対応する番組について、録画再生装置２０が自動的に録画予約の設定を行う。録画再生装置２０は、録画予約情報を、録画管理部２０９内の記憶部（図示せず）に記録する。この録画予約情報には、録画開始時刻、録画終了時刻、チャンネル情報が含まれる。そして、録画再生装置２０は、この録画予約情報を、ユーザＩＤを付加して映像情報提供サーバ４０に送信する（ステップＳ１−２）。ここでは、この録画予約情報が、特許請求の範囲に記載の放送記録情報に該当する。
【００５５】
そして、録画再生装置２０は、記録した録画予約情報に基づいて放送信号の録画を行う（ステップＳ１−３）。具体的には、録画予約された時刻になった場合、映像データ又は音声データの録画データ記憶部２２への記録を開始するとともに、録画が開始された時刻（絶対時刻）を取得し、映像データ又は音声データのうちの少なくともいずれか一方に、取得した時刻情報を付加する。更に、録画再生装置２０は、映像データ及び音声データに対して番組ＩＤを付加する。
【００５６】
一方、録画予約情報を受信した映像情報提供サーバ４０は、この録画予約情報に基づいて録画を行う（ステップＳ１−４）。具体的には、録画が開始された時刻（絶対時刻）を取得し、映像データ又は音声データのうちの少なくともいずれか一方に、取得した時刻情報を付加し、更に、映像データ及び音声データに対して番組ＩＤを付加して録画データ記憶部４２に記録する。なお、録画データはユーザＩＤに関連付けて記録される。
【００５７】
そして、映像情報提供サーバ４０は、代表画像の生成を行う（ステップＳ１−５）。具体的には、メタデータを生成して、ダイジェストデータ記憶部４３に記録し、このメタデータに含まれる開始時刻に対応する画像を録画データ記憶部４２に記録された映像から抽出し、これを代表画像とする。そして、この代表画像のサムネイルを作成して代表画像データとし、この代表画像データを番組ＩＤ及び時刻と関連付けて代表画像データ記憶部４４に記録する。なお、録画データは、ユーザＩＤに基づいて特定され、メタデータ及び代表画像データは、それぞれユーザＩＤに関連付けて記録される。
【００５８】
その後、利用者は、携帯電話端末５０により、ユーザＩＤ及びパスワードを用いて映像情報提供サーバ４０にアクセスする。映像情報提供サーバ４０は、映像情報提供サーバ４０の認証情報記録部（図示せず）に記録されたユーザＩＤ及びパスワードと受信したユーザＩＤ及びパスワードを照合することによりユーザ認証を行う。
【００５９】
認証された場合、映像情報提供サーバ４０は、代表画像等を携帯電話端末５０に送信する（ステップＳ１−６）。具体的には、ユーザＩＤに関連付けて記録されたダイジェストデータと代表画像データとを抽出し、これらに基づいて、代表画像とこれに対応するテキストとを対応付けて示す映像情報データを生成し、この映像情報データを送信する。ここでは、この映像情報データが、特許請求の範囲に記載の録画通知に該当する。この映像情報データにおいては、代表画像データのタイムコード（開始時刻）とダイジェストデータのテキストに関連付けられたタイムコード（開始時刻）とにより、代表画像とこれに対応するテキストとが対応付けられる。なお、映像情報提供サーバ４０は、送信した映像情報データに対応するダイジェストデータ及び代表画像データを、ダイジェストデータ記憶部４３及び代表画像データ記憶部４４からそれぞれ削除する。
【００６０】
これを受信した携帯電話端末５０は、代表画像等を表示する（ステップＳ１−７）。具体的には、映像情報データにより代表画像、テキスト及び時刻を対応付けて表示する。
利用者は、携帯電話端末５０に表示された代表画像やテキストの確認を行う。そして、後で視聴したいシーンについて、代表画像を選択してブックマーク登録指示を入力する。この入力に基づいて、携帯電話端末５０は、ブックマークの登録を行う（ステップＳ１−８）。具体的には、ブックマークとして、映像情報データ中の選択された代表画像に対応するタイムコード（開始時刻）に関連付けて、再生要否に関する再生管理情報としてのフラグを記録する。
【００６１】
そして、利用者は、帰宅後、録画再生装置２０及びテレビジョン受像機３０を用いて、選択したシーンの視聴を行う。まず、携帯電話端末５０から録画再生装置２０にブックマークを転送する（ステップＳ１−９）。具体的には、携帯電話端末５０の再生指示部５１２が、ローカルＩＦ部５６を介して、フラグが付加された映像情報データを転送する。
【００６２】
これを受信した録画再生装置２０は、ブックマークに基づいて、録画データの再生を行う（ステップＳ１−１０）。具体的には、録画管理部２０９が、映像情報データ中に設定されたフラグに関連付けられたタイムコード（開始時刻）に基づいて、録画データ記憶部２２の録画データ中の録画再生の開始位置を検索し、検索された開始位置から、録画した映像及び音声の再生を行う。
【００６３】
以上、本実施形態によれば、以下に示す効果を得ることができる。
（１）上記実施形態では、録画再生装置２０は、録画データを録画データ記憶部２２に記録する場合、録画対象の放送に関する放送記録情報（録画予約情報）を映像情報提供サーバ４０に送信する。そして、映像情報提供サーバ４０は、この放送記録情報（録画予約情報）に基づいて生成された映像情報データ（録画通知）を、携帯電話端末５０に送信する。これにより、利用者は、携帯電話端末５０に提供された映像情報に基づいて、録画内容を把握するとともに、視聴の要否を選択できる。
【００６４】
（２）上記実施形態では、録画再生装置２０から受信した放送記録情報である録画予約情報に基づいて、映像情報提供サーバ４０が、放送信号に基づいてダイジェストデータ及び代表画像データを生成する。そして、映像情報提供サーバ４０は、このダイジェストデータ及び代表画像データに基づいて録画通知（代表画像、及び代表画像に対応するテキストを表示する映像情報データ）を生成する。これにより、利用者は、放送記録情報（録画予約情報）に基づいて放送信号を加工した加工情報（代表画像、及び代表画像に対応するテキスト）を参照して、録画内容の概要を把握することができる。特に、上記実施形態では、映像情報提供サーバ４０が、録画予約情報に基づいてダイジェストデータ及び代表画像を生成するため、録画再生装置２０の負荷を軽減できる。
【００６５】
（３）上記実施形態では、携帯電話端末５０は、受信した映像情報データに含まれる代表画像に対して再生要否に関する再生管理情報としてのフラグを記録し、このフラグを付加した映像情報データを録画再生装置２０に送信する。これにより、映像情報データに含まれる代表画像に対して記録したフラグに基づいて、利用者が視聴したいシーンを効率的に録画再生装置２０で再生することが可能になる。
【００６６】
そして、録画再生装置２０が、携帯電話端末５０から受信したフラグが付加された映像情報データに基づいて、録画データ記憶部２２に記憶された映像を再生する。これにより、利用者が視聴したいシーンを効率的に録画再生装置２０で再生することができる。
【００６７】
（４）上記実施形態では、放送局１０からの放送信号は字幕信号（表示選択字幕データ）を含み、この字幕信号に基づいてダイジェストデータ及び代表画像データを生成する。そして、このダイジェストデータ及び代表画像に基づいて生成した映像情報データを携帯電話端末５０に送信する。これにより、放送信号に含まれる字幕信号に基づいて生成した
録画通知（映像情報データ）による情報を、例えば、外出中の利用者に提供できる。
【００６８】
（５）上記実施形態では、放送信号に含まれる字幕信号（表示選択字幕データ）に基づいて代表画像を特定して代表画像データを生成し、この代表画像を携帯電話端末５０に表示させる。また、字幕信号に基づいて生成したダイジェストデータにより、この代表画像に対応するテキストを字幕信号に基づいて表示させる。これにより、利用者は、放送信号に含まれる字幕信号に基づいて特定した代表画像と、代表画像に対応するテキストとにより、視聴するシーンを選択することができる。
【００６９】
（第２の実施形態）
次に、本発明を具体化した第２の実施形態を、図７〜図９を用いて説明する。なお、この第２の実施形態は、第１の実施形態における代表画像の生成を録画再生装置が行う。この第２の実施形態におけるシステム構成は、録画再生装置２０に代えて録画再生装置８０を用い、映像情報提供サーバ４０に代えて映像情報提供サーバ９０を用いることの他は、上記第１の実施形態の場合と同様である。
【００７０】
本実施形態では、放送局１０からの放送信号を、テレビジョン受像機３０を用いて受信し、この放送信号に基づく映像データ及び音声データをテレビジョン受像機３０に接続された録画再生装置８０に記録する。本実施形態では、録画再生装置８０が、メタデータであるダイジェストデータと代表画像データとを生成する。この録画再生装置８０は、インターネット６０を介して映像情報提供サーバ９０、携帯電話端末５０にそれぞれ接続される。そして、録画再生装置８０は、生成したダイジェストデータ及び代表画像データを映像情報提供サーバ９０に送信し、映像情報提供サーバ９０がこれを記録しておく。そして、利用者が、携帯電話端末５０を用いて映像情報提供サーバ９０にアクセスして映像情報の提供要求を行うと、映像情報提供サーバ９０が、映像情報として、代表画像とこれに対応するテキストとを表示するデータを生成し、この映像情報を携帯電話端末５０に送信する。そして、例えば、外出中の利用者が、携帯電話端末５０を用いてこの映像情報を確認して、帰宅後に視聴するシーンを選択し、選択したシーンを、帰宅後、テレビジョン受像機３０及び録画再生装置８０を用いて視聴する。
【００７１】
録画再生装置８０としては、例えば、ハードディスクレコーダ装置等を想定する。
この録画再生装置８０は、テレビジョン受像機３０のチューナ３１によって選局された放送信号を取得し、映像信号及び音声信号をデコードするとともに、表示選択字幕データを抽出してデコードし、テレビジョン受像機３０に映像信号及び音声信号を出力する。また、この録画再生装置８０は、取得した放送信号に基づいて、映像データ及び音声データを含む録画データを、映像データ記憶手段としての録画データ記憶部８２に記録する。
【００７２】
また、録画再生装置８０は、メタデータを生成し、このメタデータと録画データとを用いて代表画像を生成する。そして、この代表画像とメタデータによるダイジェストデータとを映像情報提供サーバ９０に送信する。更に、この録画再生装置８０は、録画データ記憶部８２に記録された録画データに基づいて、映像及び音声をテレビジョン受像機３０に出力して、録画した放送番組を再生する。
【００７３】
この録画再生装置８０は、ＣＰＵ（Central Processing Unit ）からなる制御手段、ＲＯＭ（Read Only Memory）やＲＡＭ（Random Access Memory )、ＨＤＤ（Hard Disk Drive ）等のデータ記憶手段を備える。録画再生装置８０のブロック構成を図７に示す。
【００７４】
テレビジョン受像機３０のチューナ３１により選局された放送信号のうち、表示選択字幕データを含む映像信号、音声信号は、それぞれ所定の入力端子より、映像信号デコーダ８０１、音声信号デコーダ８０２に入力される。すなわち、この所定の入力端子が、特許
請求の範囲に記載の放送信号の受信手段として機能する。
【００７５】
映像信号デコーダ８０１は、供給された映像信号をデコードし、デコードされた映像データをメモリ８０３に供給する。メモリ８０３は、供給された映像信号を一時保持するフレームメモリである。音声信号デコーダ８０２は、供給された音声信号をデコードし、デコードされた音声データを出力する。
【００７６】
受信された放送信号をリアルタイムに出力する場合、表示選択字幕データデコーダ８０５は、メモリ８０３から映像データを取得する。そして、表示選択字幕データの表示が指示された場合、表示選択字幕データデコーダ８０５は、取得した映像データに含まれる表示選択字幕データをデコードする映像情報を分離する。そして、対応するテキストデータをＯＳＤ（On Screen Display ）８０６に供給するとともに、映像データを合成処理部８０７に供給する。
【００７７】
ＯＳＤ８０６は、供給されたテキストデータを、表示画面に重畳して表示させるための画像データであるＯＳＤデータに変換して、合成処理部８０７に供給する。合成処理部８０７は、供給された映像データに、供給されたＯＳＤデータを重畳して、出力端子からテレビジョン受像機３０の出力部３３のディスプレイに出力する。また、音声処理部８０８は、音声信号デコーダ８０２によりデコードされた音声データを取得して、テレビジョン受像機３０の出力部３３のスピーカに出力する。
【００７８】
番組ＩＤ抽出部８１０は、メモリ８０３に保持されている映像データから番組管理データに含まれる番組ＩＤを抽出する。
録画管理部８０９は、操作入力部２１４により入力された録画予約情報、又は、テキストデータによる検索に基づいて自動的に録画予約された録画予約情報に基づいて、録画を行う。この録画管理部８０９は、タイマ８１８を参照して、録画が開始された時刻（絶対時刻）を取得し、メモリ８０３から供給される映像データ、又は音声信号デコーダ８０２から供給される音声データのうちの少なくともいずれか一方に、取得した時刻情報を付加する。更に、映像データ及び音声データに対して、番組ＩＤ抽出部８１０から供給された番組ＩＤを付加して、映像情報記憶手段としての録画データ記憶部８２に記録する。ここで付加された時刻情報は、タイムスタンプとして、後述する処理において用いられる。更に、録画管理部８０９は、ダイジェストデータ記憶部８３から抽出したダイジェストデータと代表画像データ記憶部８４から抽出した代表画像データとを、通信部８１６を介して映像情報提供サーバ９０に送信する。なお、この録画予約情報には、ユーザＩＤが付加される。更に、録画管理部８０９は、携帯電話端末５０からフラグが付加された映像情報データを受信するローカルＩＦ部８１９に接続される。このローカルＩＦ部８１９を介して映像情報データを受信した録画管理部８０９は、映像情報データ中に設定されたフラグに関連付けられたタイムコード（開始時刻）に基づいて、録画データ記憶部８２の録画データ中の録画再生の開始位置を検索する。そして、録画管理部８０９は、検索された開始位置から、録画映像及び音声の再生処理を行う。
【００７９】
録画データ記憶部８２には、番組ＩＤ及びタイムスタンプが付加された映像データ及び音声データを記憶する。なお、本実施形態では、この番組ＩＤ及びタイムスタンプが付加された映像データ及び音声データを、単に録画データと呼ぶ場合もある。録画データ記憶部８２は、例えば、ハードディスクなどの大容量記録媒体により構成されるが、ＤＶＤ（Digital Versatile Disk）やビデオテープなどのリムーバブルな記録媒体を用いることも可能である。
【００８０】
解析処理部８１１は、上記第１の実施形態における解析処理部４０５と同様に、字幕モード処理と無声モード処理とを実行する。そして、分割されたテキスト群、又は、代表画
像の登録指示として「無声」の文字からなるテキストデータをタイムコード付加処理部８１３に供給する。
【００８１】
タイムコード付加処理部８１３は、タイマ８１２を用いて、代表画像の登録指示を受けた時刻をタイムコードとして付加する。例えば、表示選択字幕に対応するテキストの場合には、表示選択字幕の開始時刻に対応するタイムコードが付加される。放送に対してリアルタイムで放送信号を取得した場合、タイムコード付加処理部８１３はタイマ８１２が示す現在時刻に基づいて、タイムコードをテキストデータに付加するものとする。また、番組放送時刻に対してタイムコード付加時刻に遅れがある場合には、タイムコード付加処理部８１３は、この遅延時間とタイマ８１２が示す現在時刻とに基づいて、番組の放送時刻に対応するタイムコードを算出し、テキストデータに付加する。タイムコード付加処理部８１３は、タイムコードが付加されたテキストデータを、メタデータ生成部８１４に供給する。
【００８２】
メタデータ生成部８１４は、このタイムコードが付加されたテキストデータに、番組ＩＤ抽出部８１０から供給された番組ＩＤ情報を付加してメタデータを生成する。そして、メタデータをダイジェストデータ記憶部８３に記録する。また、メタデータ生成部８１４は、メタデータを代表画像生成部８１５に供給する。
【００８３】
代表画像生成部８１５は、メタデータ生成部８１４から供給されたメタデータに含まれる開始時刻に対応する画像を録画データ記憶部８２に記録された映像データから抽出し、これを代表画像とする。そして、この代表画像のサムネイルを作成し、代表画像データとする。そして、この代表画像データを番組ＩＤ及び時刻（開始時刻）と関連付けて代表画像データ記憶部８４に記録する。これにより、図６に代表画像７０２として示すように、メタデータの各タイムコードの開始時刻に対応して代表画像データが記録される。
【００８４】
映像情報提供サーバ９０は、録画再生装置８０が生成した代表画像データ及びダイジェストデータを受信し、これらに基づいて生成した映像情報データを携帯電話端末５０に提供する。この映像情報提供サーバ４０は、ＣＰＵ（Central Processing Unit ）からなる制御手段、ＲＯＭ（Read Only Memory）やＲＡＭ（Random Access Memory )、ＨＤＤ（Hard Disk Drive ）等のデータ記憶手段を備える。映像情報提供サーバ９０のブロック構成を図８に示す。
【００８５】
映像情報転送受付部９０１は、録画再生装置８０からダイジェストデータ及び代表画像データを受信し、これらをダイジェストデータ記憶部９３及び代表画像データ記憶部９４にそれぞれ記録する。なお、録画再生装置８０から送信されたダイジェストデータ及び代表画像データには、ユーザＩＤが付加されている。映像情報転送受付部９０１は、このユーザＩＤに関連付けてダイジェストデータ及び代表画像データを記録する。
【００８６】
表示データ提供部９０２は、携帯電話端末５０からの映像情報の提供要求を受信し、ダイジェストデータ記憶部９３及び代表画像データ記憶部９４からダイジェストデータ及び代表画像データをそれぞれ抽出し、これを編集した映像情報データを携帯電話端末５０に送信する。
【００８７】
以下、このように構成されたシステムを用いて、録画した映像のうち利用者が関心のあるシーンを代表画像により選択し、選択したシーンを視聴する場合の処理手順について図９を用いて説明する。
【００８８】
図９に示すように、まず、録画再生装置８０において録画予約を行う（ステップＳ２−１）。具体的には、操作入力部８１７の操作入力により、録画する番組の指定、又は、時
刻及びチャンネルの指定を行う。また、キーワードを用いて、このキーワードに対応する番組に関する情報を取得してもよい。この場合、指定されたキーワードに対応する番組について、録画再生装置８０が自動的に録画予約の設定を行う。録画再生装置８０は、録画予約情報を、録画管理部８０９内の記憶部（図示せず）に記録する。この録画予約情報には、録画開始時刻、録画終了時刻、チャンネル情報が含まれる。
【００８９】
そして、録画再生装置８０は、記録した録画予約情報に基づいて放送信号の録画を行う（ステップＳ２−２）。具体的には、録画予約された時刻になった場合、映像データ又は音声データの録画データ記憶部８２への記録を開始するとともに、録画が開始された時刻（絶対時刻）を取得し、映像データ又は音声データのうちの少なくともいずれか一方に、取得した時刻情報を付加する。更に、録画再生装置８０は、映像データ及び音声データに対して番組ＩＤを付加する。
【００９０】
そして、録画再生装置８０は、代表画像の生成を行う（ステップＳ２−３）。具体的には、メタデータを生成して、ダイジェストデータ記憶部８３に記録し、このメタデータに含まれる開始時刻に対応する画像を録画データ記憶部８２に記録された映像から抽出し、これを代表画像とする。そして、この代表画像のサムネイルを作成して代表画像データとし、この代表画像データを番組ＩＤ及び時刻と関連付けて代表画像データ記憶部８４に記録する。
【００９１】
そして、録画再生装置８０は、ダイジェストデータと代表画像データとを、ユーザＩＤを付加して映像情報提供サーバ９０に送信する。ここでは、このダイジェストデータと代表画像データとが、特許請求の範囲に記載の放送記録情報に該当する。映像情報提供サーバ９０は、受信したダイジェストデータと代表画像データとを、ダイジェストデータ記憶部９３、代表画像データ記憶部９４にそれぞれ記録する。なお、メタデータ及び代表画像データは、それぞれユーザＩＤに関連付けて記録される。
【００９２】
そして、録画再生装置８０は、携帯電話端末５０からの要求に応じて、代表画像等を含む映像情報データを携帯電話端末５０に送信する（ステップＳ２−４）。携帯電話端末５０は、この映像情報データに基づいて代表画像等を表示する（ステップＳ２−５）。そして、利用者は、後で視聴したいシーンについて、代表画像を選択してブックマーク登録指示を入力する。これに基づいて、携帯電話端末５０は、ブックマークの登録を行う（ステップＳ２−６）。
【００９３】
そして、利用者は、帰宅後、選択したシーンを録画再生装置８０及びテレビジョン受像機３０を用いて視聴するために、まず、携帯電話端末５０から録画再生装置８０にブックマークを転送する（ステップＳ２−７）。これを受信した録画再生装置８０は、ブックマークに基づいて、映像及び音声の再生を行う（ステップＳ２−８）。
【００９４】
なお、上記ステップＳ２−４〜ステップＳ２−８における具体的な処理は、上述の実施形態１のステップＳ１−６〜ステップＳ１−１０の処理と同様である。
以上、本実施形態によれば、上記第１の実施形態の（１）、（３）〜（５）の効果に加え、以下に示す効果を得ることができる。
【００９５】
（６）上記実施形態では、録画再生装置８０から受信した放送記録情報であるダイジェストデータ及び代表画像データに基づいて、映像情報提供サーバ９０が、録画通知（代表画像と代表画像に対応するテキストとを表示する映像情報データ）を生成する。これにより、利用者は、放送記録情報（ダイジェストデータ及び代表画像データ）に含まれる代表画像と代表画像に対応するテキストとを参照して、視聴するシーンを選択できる。また、ダイジェストデータ及び代表画像データの生成を録画再生装置８０が行うため、映像情報
提供サーバ９０の負荷を軽減できる。
【００９６】
なお、上記実施形態は、以下の態様に変更してもよい。
・  上記第１，第２の実施形態では、携帯電話端末５０から受信したフラグが付加された映像情報データに基づいて、録画データ記憶部２２，８２に記録された録画データの再生を行った。更に、このフラグが付加された映像情報データに基づいて、録画データ記憶部２２，８２に記録された録画データの削除を行ってもよい。例えば、選択された代表画像についてフラグが設定された映像情報データを受信した場合に、録画再生装置２０，８０が、フラグが設定されていない代表画像に対応する録画データを録画データ記憶部２２，８２から削除する。具体的には、フラグが記録されていない代表画像に対応するタイムコード（開始時刻、終了時刻）を特定し、この開始時刻から終了時刻までの録画データを削除する。これにより、利用者が携帯電話端末５０を用いて、利用者が視聴不要と判断したシーンに関する録画データを、録画データ記憶部２２，８２から削除し、記憶容量を効率的に活用することができる。
【００９７】
・  上記第１，第２の実施形態では、利用者による録画再生装置２０，８０における番組や時刻及びチャンネルの指定、キーワードに対応する番組に関する情報の取得による自動録画予約設定により、録画予約を行った。この録画予約に関する情報を携帯電話端末５０に送信してもよい。そして、利用者が、携帯電話端末５０に表示された録画予約に関する情報を確認し、必要な場合には、携帯電話端末５０を用いて録画予約を行えるようにしてもよい。外出先から携帯電話端末５０を用いて追加録画予約を行う場合、携帯電話端末５０から、直接、録画再生装置２０，８０に追加録画予約情報を送信して追加録画予約を行えるようにしてもよい。また、サーバ（例えば、映像情報提供サーバ４０，９０）を介して追加録画を行うようにしてもよい。これにより、例えば、キーワードに対応して自動録画予約設定を行う場合において、キーワードにより抽出されず自動的に録画予約されなかった番組で、録画したい番組がある場合に、利用者が外出先から追加して録画予約を行うことができる。
【００９８】
・  上記第１，第２の実施形態では、利用者が携帯電話端末５０で、映像情報データに基づく代表画像やテキストを確認し、視聴したいシーンの代表画像の選択を行った。そして、携帯電話端末５０が、選択された代表画像にフラグを設定した。そして、フラグが設定された代表画像のタイムコード（開始時刻）に基づいて、録画データを再生した。これに代えて、携帯電話端末５０で映像情報の確認が行われたかどうかに関する情報を記録し、この情報を携帯電話端末５０から録画再生装置２０，８０に送信し、この情報に基づいて、映像情報の確認が行われていないシーンを再生してもよい。例えば、映像情報データに基づいて映像情報（代表画像、代表画像に対応するテキスト）を携帯電話端末５０に表示した場合、表示済の代表画像に関連付けて表示済フラグを記録しておく。そして、この表示済フラグが付加された映像情報データを録画再生装置２０，８０に送信し、この表示済フラグが記録されていない代表画像に対応するタイムコード（開始時刻）に基づいて、録画データ記憶部２２，８２の録画データの再生を行ってもよい。これにより、利用者は、携帯電話端末５０により確認を行っていないシーンを効率的に視聴できる。
【００９９】
また、この表示済フラグが付加された映像情報データに基づいて、表示済フラグが設定されていない代表画像と、この代表画像に対応するテキストとを、ダイジェストデータ記憶部４３，８３のダイジェストデータと代表画像データ記憶部４４，８４の代表画像データとに基づいて表示し、利用者がこれを確認して、視聴するシーンを選択するようにしてもよい。これにより、利用者は、携帯電話端末５０により確認を行っていないシーンについて、録画再生装置２０，８０及びテレビジョン受像機３０を用いて代表画像とこれに対応するテキストとを確認して、視聴したいシーンを効率的に選択できる。
【０１００】
・  上記第１，第２の実施形態では、静止画像である代表画像を含む映像情報データを録画通知として携帯電話端末５０に送信し、静止画像である代表画像を携帯電話端末５０に表示した。録画通知として動画データを携帯電話端末５０に送信し、携帯電話端末５０で動画を表示してもよい。例えば、ダイジェストデータや代表画像データを用いずに、録画した映像及び音声を録画通知として携帯電話端末５０に送信する。具体的には、動画データの一括ダウンロード又はストリーミングにより、携帯電話端末５０において動画を再生する。
【０１０１】
この場合、携帯電話端末５０により利用者が視聴を終了したシーンの後から、録画再生装置２０，８０による再生を行ってもよい。具体的には、例えば、利用者による視聴が終了したシーンのタイムコード（途中終了時刻）を記録しておく。そして、このタイムコード（途中終了時刻）に基づいて、録画データ記憶部２２，８２の録画データにより、録画された映像及び音声の再生を行う。これにより、利用者は、携帯電話端末５０により視聴を終了したシーンの続きを、録画再生装置２０，８０を用いて効率的に視聴できる。
【０１０２】
また、利用者が携帯電話端末５０を用いて視聴したシーンのうち、後で視聴したいシーンを選択しておき、このシーンについて、録画再生装置２０，８０を用いて再生してもよい。この場合、利用者が視聴すると決めたシーンを特定するための情報を、利用者による入力に基づいて記録する。例えば、利用者が視聴することを選択したシーンの開始時刻と終了時刻とをタイムコードとして記録しておく。そして、このタイムコードを録画再生装置２０，８０に送信し、このタイムコードの開始時刻と終了時刻とに基づいて、録画データを再生する。これにより、利用者は、より大きな画面で表示したいシーンを、効率的に、録画再生装置２０，８０及びテレビジョン受像機３０を用いて視聴することができる。
【０１０３】
なお、視聴し終わった部分や、後で視聴しないと決めた部分については、携帯電話端末５０から録画再生装置２０，８０に送信するデータに基づいて、録画データ記憶部２２，８２に記録した録画データを削除してもよい。具体的には、携帯電話端末５０による視聴を終了した部分を特定するタイムコード（途中終了時刻）に基づいて、このタイムコード（途中終了時刻）により特定されるシーンより前のシーンの録画データを録画データ記憶部２２，８２から削除する。また、携帯電話端末５０による視聴が終了したシーンのうち、利用者が後で視聴することを選択したシーンを特定するタイムコード（開始時刻、終了時刻）に基づいて、携帯電話端末５０による視聴が終了したシーンのうち、利用者が後で視聴することを選択していないシーンについての録画データを録画データ記憶部２２，８２から削除する。これにより、不必要な録画データを効率的に削除できる。
【０１０４】
・  上記第１，第２の実施形態では、ダイジェストデータ及び代表画像に基づく映像情報データを録画通知として携帯電話端末５０に送信したが、携帯電話端末５０に送信する録画通知は、これに限定されるものではない。例えば、テキストデータを含まない代表画像データのみを録画通知として送信してもよい。また、ダイジェストデータと代表画像データとを録画通知として送信してもよい。また、この場合、ダイジェストデータと代表画像データとを録画再生装置が生成して放送記録情報として映像情報提供サーバに送信し、このダイジェストデータと代表画像データとを映像情報提供サーバが携帯電話端末に送信してもよい。この場合、映像情報提供サーバが携帯電話端末に送信する録画通知は、録画再生装置から映像情報提供サーバに送信された放送記録情報となる。
【０１０５】
・  上記第１，第２の実施形態では、利用者端末として携帯電話端末５０を用いたが、利用者端末は携帯電話端末５０に限られるものではない。利用者端末は、映像情報提供サーバからの録画通知を受けて、代表画像等の映像情報を表示し、視聴の要否に関する情報を記録して、この情報を録画再生装置に送信する機能を有するものであれば、どのようなものであってもよい。
【図面の簡単な説明】
【０１０６】
【図１】第１の実施形態のシステム概略図。
【図２】第１の実施形態の録画再生装置のブロック構成の説明図。
【図３】第１の実施形態の映像情報提供サーバのブロック構成の説明図。
【図４】第１の実施形態の携帯電話端末のブロック構成の説明図。
【図５】第１の実施形態の処理手順の説明図。
【図６】第１の実施形態におけるデータの説明図。
【図７】第２の実施形態の録画再生装置のブロック構成の説明図。
【図８】第２の実施形態の映像情報提供サーバのブロック構成の説明図。
【図９】第２の実施形態の処理手順の説明図。
【符号の説明】
【０１０７】
１０…放送局、２０，８０…録画再生装置、２２，８２…映像情報記憶手段としての録画データ記憶部２２、３０…テレビジョン受像機、４０，９０…映像情報提供サーバ、５０…利用者端末としての携帯電話端末。
【図１】
2007174245.tif 000003
【図２】
2007174245.tif 000004
【図３】
2007174245.tif 000005
【図４】
2007174245.tif 000006
【図５】
2007174245.tif 000007
【図６】
2007174245.tif 000008
【図７】
2007174245.tif 000009
【図８】
2007174245.tif 000010
【図９】
2007174245.tif 000011